(57)【要約】【課題】携帯端末に備えた無線ＩＣタグを用いることにより閉空間の混雑状況のカウントのための構成を簡素化し、混雑状況に応じて携帯端末の機能制限を行う。【解決手段】タグリーダライタ２０が単位閉空間内の無線ＩＣタグ１５から端末ＩＤを読取り、タグリーダライタＩＤを付して閉空間内端末に送信し、閉空間内端末が受信した情報を基に単位閉空間毎の端末数をカウントし、端末数と予め登録された単位閉空間面積情報を基に閉空間内端末が単位閉空間毎の端末密度を算出し、タグリーダライタ２０に該当単位閉空間の端末密度情報を送信し、タグリーダライタ２０が端末密度情報を単位閉空間内の無線ＩＣタグ１５に書き込み、携帯端末１０が端末密度情報受信時に、端末密度情報に対応して予め登録された機能制限情報から禁止機能を抽出して登録し、以降、ユーザから起動された機能が禁止機能であった場合に、その機能の利用を禁止する。【選択図】      図１
2007235822.tif 000002
【特許請求の範囲】
【請求項１】
携帯端末と、閉空間内の各単位閉空間に設置されたタグリーダライタと、閉空間内端末とを備えた、無線ＩＣタグを用いた携帯端末の機能制限システムであって、
前記携帯端末は、前記タグリーダライタからの要求に応じて予め記憶した端末識別情報を送信し、端末密度情報を受信する度に上書き記憶する無線ＩＣタグと、端末密度情報に対応した機能制限情報が予め格納された第１のデータベースと、前記タグリーダライタからの端末密度情報受信時に前記第１のデータベースから対応する禁止機能を抽出して第２のデータベースに登録する手段と、ユーザから起動された機能が前記第２のデータベースに登録された禁止機能であった場合に利用を禁止する手段とを有し、
前記タグリーダライタは、前記閉空間内端末からの指示を受信する度に単位閉空間内の前記無線ＩＣタグから端末識別情報を読み取る手段と、読み取った端末識別情報にタグリーダライタ識別情報を付して前記閉空間内端末に送信する手段と、前記閉空間内端末から送信された端末密度情報を単位閉空間内の前記無線ＩＣタグに書き込む手段とを有し、
前記閉空間内端末は、前記タグリーダライタに端末識別情報の読み取りを指示する手段と、前記タグリーダライタから受信したタグリーダライタ識別情報，端末識別情報を基に単位閉空間毎の端末数をカウントする手段と、カウントされた端末数と予め登録された単位閉空間面積情報とを基に単位閉空間毎の端末密度を算出し、各単位閉空間の前記タグリーダライタに該当単位閉空間の端末密度情報を送信する手段とを有することを特徴とする無線ＩＣタグを用いた携帯端末の機能制限システム。
【請求項２】
前記携帯端末は、禁止機能を抽出して前記第２のデータベースに登録したときに、禁止機能情報を表示する手段をさらに有することを特徴とする請求項１記載の無線ＩＣタグを用いた携帯端末の機能制限システム。
【請求項３】
前記携帯端末は、禁止機能の登録後、所定時間毎に閉空間内か閉空間外かの選択画面を表示する手段と、ユーザから閉空間外が選択された場合に禁止機能の登録を消去する手段とを、さらに有することを特徴とする請求項１または２記載の無線ＩＣタグを用いた携帯端末の機能制限システム。
【請求項４】
前記閉空間内端末は、前記タグリーダライタに対する端末識別情報の読み取り指示を所定時間毎に行うことを特徴とする請求項１，２または３記載の無線ＩＣタグを用いた携帯端末の機能制限システム。
【請求項５】
閉空間または単位閉空間のドアの開閉を検出するドア開閉検出装置をさらに備え、
前記ドア開閉検出装置は、ドアが閉められたことを検出し、その旨を前記閉空間内端末に送信する手段を有し、
前記閉空間内端末は、ドアが閉められた旨を受信する度に、前記タグリーダライタに端末識別情報の読み取りを指示することを特徴とする請求項１，２または３記載の無線ＩＣタグを用いた携帯端末の機能制限システム。
【請求項６】
混雑情報提供サーバをさらに備え、
前記閉空間内端末は、単位閉空間毎の端末密度を算出したときに、単位閉空間毎の端末密度情報に閉空間識別情報を付して前記混雑情報提供サーバに送信する手段をさらに有し、
前記混雑情報提供サーバは、受信した閉空間，単位閉空間別端末密度情報を内部データベースに登録する手段と、前記携帯端末からの情報取得要求があった場合に、前記内部データベースから要求された閉空間の単位閉空間別端末密度情報を抽出して前記携帯端末に送信する手段とを有することを特徴とする請求項１，２，３，４または５記載の無線ＩＣタグを用いた携帯端末の機能制限システム。
【請求項７】
閉空間内の単位閉空間に設置されたタグリーダライタと通信を行う携帯端末であって、
前記タグリーダライタからの要求に応じて予め記憶した端末識別情報を送信し、端末密度情報を受信する度に上書き記憶する無線ＩＣタグと、端末密度情報に対応した機能制限情報が予め格納された第１のデータベースと、前記タグリーダライタからの端末密度情報受信時に前記第１のデータベースから対応する禁止機能を抽出して第２のデータベースに登録する手段と、ユーザから起動された機能が前記第２のデータベースに登録された禁止機能であった場合に利用を禁止する手段とを有することを特徴とする携帯端末。
【請求項８】
禁止機能を抽出して前記第２のデータベースに登録したときに、禁止機能情報を表示する手段をさらに有することを特徴とする請求項７記載の携帯端末。
【請求項９】
禁止機能の登録後、所定時間毎に閉空間内か閉空間外かの選択画面を表示する手段と、ユーザから閉空間外が選択された場合に禁止機能の登録を消去する手段とを、さらに有することを特徴とする請求項７または８記載の携帯端末。
【請求項１０】
無線ＩＣタグを備えた携帯端末と、閉空間内の各単位閉空間に設置されたタグリーダライタと、閉空間内端末とを備えたシステムにおける無線ＩＣタグを用いた携帯端末の機能制限方法であって、
前記閉空間内端末からの指示を受けた前記タグリーダライタが単位閉空間内の前記無線ＩＣタグから端末識別情報を読み取り、タグリーダライタ識別情報を付して前記閉空間内端末に送信するステップと、前記閉空間内端末が受信したタグリーダライタ識別情報，端末識別情報を基に単位閉空間毎の端末数をカウントするステップと、カウントされた端末数と予め登録された単位閉空間面積情報とを基に前記閉空間内端末が単位閉空間毎の端末密度を算出し、各単位閉空間の前記タグリーダライタに該当単位閉空間の端末密度情報を送信するステップと、前記タグリーダライタが受信した端末密度情報を単位閉空間内の前記無線ＩＣタグに書き込むステップと、前記携帯端末が端末密度情報受信時に、端末密度情報に対応した機能制限情報が予め格納された第１のデータベースから対応する禁止機能を抽出して第２のデータベースに登録するステップと、ユーザから起動された機能が前記第２のデータベースに登録された禁止機能であった場合に利用を禁止するステップとを有することを特徴とする無線ＩＣタグを用いた携帯端末の機能制限方法。
【請求項１１】
無線ＩＣタグを備えた携帯端末と、閉空間内の各単位閉空間に設置されたタグリーダライタと、閉空間内端末とを備えたシステムにおける無線ＩＣタグを用いた携帯端末の機能制限方法であって、
前記閉空間内端末からの指示を受けた前記タグリーダライタが単位閉空間内の前記無線ＩＣタグから端末識別情報を読み取り、タグリーダライタ識別情報を付して前記閉空間内端末に送信するステップと、前記閉空間内端末が受信したタグリーダライタ識別情報，端末識別情報を基に単位閉空間毎の端末数をカウントするステップと、カウントされた端末数と予め登録された単位閉空間面積情報とを基に前記閉空間内端末が単位閉空間毎の端末密度を算出し、各単位閉空間の前記タグリーダライタに該当単位閉空間の端末密度情報を送信するステップと、前記タグリーダライタが受信した端末密度情報を単位閉空間内の前記無線ＩＣタグに書き込むステップと、前記携帯端末が端末密度情報受信時に、端末密度情報に対応した機能制限情報が予め格納された第１のデータベースから対応する禁止機能を抽出して第２のデータベースに登録するステップと、登録された禁止機能情報を携帯端末に表示するステップと、ユーザから起動された機能が前記第２のデータベースに登録された禁止機能であった場合に利用を禁止するステップと、前記携帯端末による禁止機能の登録後、所定時間毎に閉空間内か閉空間外かの選択画面を表示するステップと、ユーザから閉空間外が選択された場合に禁止機能の登録を消去するステップと、を有することを特徴とする無線ＩＣタグを用いた携帯端末の機能制限方法。
【請求項１２】
端末密度情報に対応した機能制限情報を第１のデータベースに登録する機能、内蔵の無線ＩＣタグを介した端末密度情報受信時に前記第１のデータベースから対応する禁止機能を抽出して第２のデータベースに登録する機能、ユーザから起動された機能が前記第２のデータベースに登録された禁止機能であった場合に利用を禁止する機能、をコンピュータに実現させるためのプログラム。
【請求項１３】
端末密度情報に対応した機能制限情報を第１のデータベースに登録する機能、内蔵の無線ＩＣタグを介した端末密度情報受信時に前記第１のデータベースから対応する禁止機能を抽出して第２のデータベースに登録する機能、ユーザから起動された機能が前記第２のデータベースに登録された禁止機能であった場合に利用を禁止する機能、禁止機能の登録後、所定時間毎に閉空間内か閉空間外かの選択画面を表示する機能、ユーザから閉空間外が選択された場合に前記第２のデータベースに登録された禁止機能を消去する機能、をコンピュータに実現させるためのプログラム。
【発明の詳細な説明】
【技術分野】
【０００１】
本発明は、利用者が集まる鉄道車両や待合室等の閉空間において携帯端末を使用する場合の、無線ＩＣタグを用いた携帯端末の機能制限システム，方法，携帯端末およびプログラムに関する。
【背景技術】
【０００２】
閉空間において携帯端末の機能制限を行う従来例が、特開２０００−４１２８２号公報（特許文献１）に開示されている。この特許文献１においては、
・携帯端末は、閉空間に設置された報知機から電車内であれば電車内であることを示す情報、病院内であれば病院内であることを示す情報を電波を介して受信し、
・受信した閉空間の種類（電車，病院等）を示す情報に対応する制御内容を記憶手段から読み出して制御する、
ことが記載されている。
【０００３】
また、電車内において携帯端末の機能制限を行う従来例が、特開２００５−１８４１５３号公報（特許文献２）に開示されている。この特許文献２においては、
・電車内の圧力センサや速度計により乗車率や速度を取得し、
・乗車率や速度に対応する制御内容を制御信号発生装置から携帯端末にブルートゥース等の近距離無線通信により送信し、
・携帯端末は受信した制御内容で該当する機能を制限する、
ことが記載されている。
【０００４】
【特許文献１】特開２０００−４１２８２号公報（段落「００２４」〜「００２６」、図１）
【特許文献２】特開２００５−１８４１５３号公報（段落「００３９」〜「００４１」、図５）
【発明の開示】
【発明が解決しようとする課題】
【０００５】
上述した特許文献１においては、電車内，病院内といった閉空間の種類を示す情報だけを基に携帯端末を制御しているため、閉空間内が空いた状態でも混雑した状態でも同じ制御が実行されることになる。また、電車内，病院内といった一括した閉空間を想定しており、電車内の各車両や病院内の各部屋といった単位での制御は行っていない。
【０００６】
また、上述した特許文献２においては、圧力センサで乗車率を取得し、制御信号発生装置から携帯端末にブルートゥース等を介して乗車率に対応した制御内容を送信している。しかし、特許文献１と同じく、電車内という一括した閉空間を想定しており、電車内の各車両といった単位での制御は行っていない。また、近年、殆どの人が携帯端末を携帯しており、この携帯端末に内蔵された無線ＩＣタグを用いて混雑状況のカウントや機能制御を行うことにより、電車の圧力センサや携帯端末のブルートゥース通信手段等を不要とする簡素化されたシステムの提供が望まれる。
【０００７】
本発明の目的は、携帯端末内蔵の無線ＩＣタグを用いて簡素化したシステムにより、上述した課題を解決する無線ＩＣタグを用いた携帯端末の機能制限システム，方法，携帯端末およびプログラムを提供することにある。
【課題を解決するための手段】
【０００８】
本発明の第１の無線ＩＣタグを用いた携帯端末の機能制限システムは、携帯端末と、閉空間内の各単位閉空間に設置されたタグリーダライタと、閉空間内端末とを備えた、無線ＩＣタグを用いた携帯端末の機能制限システムであって、
前記携帯端末は、前記タグリーダライタからの要求に応じて予め記憶した端末識別情報を送信し、端末密度情報を受信する度に上書き記憶する無線ＩＣタグと、端末密度情報に対応した機能制限情報が予め格納された第１のデータベースと、前記タグリーダライタからの端末密度情報受信時に前記第１のデータベースから対応する禁止機能を抽出して第２のデータベースに登録する手段と、ユーザから起動された機能が前記第２のデータベースに登録された禁止機能であった場合に利用を禁止する手段とを有し、
前記タグリーダライタは、前記閉空間内端末からの指示を受信する度に単位閉空間内の前記無線ＩＣタグから端末識別情報を読み取る手段と、読み取った端末識別情報にタグリーダライタ識別情報を付して前記閉空間内端末に送信する手段と、前記閉空間内端末から送信された端末密度情報を単位閉空間内の前記無線ＩＣタグに書き込む手段とを有し、
前記閉空間内端末は、前記タグリーダライタに端末識別情報の読み取りを指示する手段と、前記タグリーダライタから受信したタグリーダライタ識別情報，端末識別情報を基に単位閉空間毎の端末数をカウントする手段と、カウントされた端末数と予め登録された単位閉空間面積情報とを基に単位閉空間毎の端末密度を算出し、各単位閉空間の前記タグリーダライタに該当単位閉空間の端末密度情報を送信する手段とを有する。
【０００９】
本発明の第２の無線ＩＣタグを用いた携帯端末の機能制限システムは、本発明の第１の無線ＩＣタグを用いた携帯端末の機能制限システムにおいて、前記携帯端末は、禁止機能を抽出して前記第２のデータベースに登録したときに、禁止機能情報を表示する手段をさらに有する。
【００１０】
本発明の第３の無線ＩＣタグを用いた携帯端末の機能制限システムは、本発明の第１または第２の無線ＩＣタグを用いた携帯端末の機能制限システムにおいて、前記携帯端末は、禁止機能の登録後、所定時間毎に閉空間内か閉空間外かの選択画面を表示する手段と、ユーザから閉空間外が選択された場合に禁止機能の登録を消去する手段とを、さらに有する。
【００１１】
本発明の第４の無線ＩＣタグを用いた携帯端末の機能制限システムは、本発明の第１，第２または第３の無線ＩＣタグを用いた携帯端末の機能制限システムにおいて、前記閉空間内端末は、前記タグリーダライタに対する端末識別情報の読み取り指示を所定時間毎に行うことを特徴とする。
【００１２】
本発明の第５の無線ＩＣタグを用いた携帯端末の機能制限システムは、本発明の第１，第２または第３の無線ＩＣタグを用いた携帯端末の機能制限システムにおいて、閉空間または単位閉空間のドアの開閉を検出するドア開閉検出装置をさらに備え、
前記ドア開閉検出装置は、ドアが閉められたことを検出し、その旨を前記閉空間内端末に送信する手段を有し、
前記閉空間内端末は、ドアが閉められた旨を受信する度に、前記タグリーダライタに端末識別情報の読み取りを指示することを特徴とする
本発明の第６の無線ＩＣタグを用いた携帯端末の機能制限システムは、本発明の第１，第２，第３，第４または第５の無線ＩＣタグを用いた携帯端末の機能制限システムにおいて、混雑情報提供サーバをさらに備え、
前記閉空間内端末は、単位閉空間毎の端末密度を算出したときに、単位閉空間毎の端末密度情報に閉空間識別情報を付して前記混雑情報提供サーバに送信する手段をさらに有し、
前記混雑情報提供サーバは、受信した閉空間，単位閉空間別端末密度情報を内部データベースに登録する手段と、前記携帯端末からの情報取得要求があった場合に、前記内部データベースから要求された閉空間の単位閉空間別端末密度情報を抽出して前記携帯端末に送信する手段とを有する。
【００１３】
本発明の第１の携帯端末は、閉空間内の単位閉空間に設置されたタグリーダライタと通信を行う携帯端末であって、
前記タグリーダライタからの要求に応じて予め記憶した端末識別情報を送信し、端末密度情報を受信する度に上書き記憶する無線ＩＣタグと、端末密度情報に対応した機能制限情報が予め格納された第１のデータベースと、前記タグリーダライタからの端末密度情報受信時に前記第１のデータベースから対応する禁止機能を抽出して第２のデータベースに登録する手段と、ユーザから起動された機能が前記第２のデータベースに登録された禁止機能であった場合に利用を禁止する手段とを有する。
【００１４】
本発明の第２の携帯端末は、本発明の第１の携帯端末において、禁止機能を抽出して前記第２のデータベースに登録したときに、禁止機能情報を表示する手段をさらに有する。
【００１５】
本発明の第３の携帯端末は、本発明の第１または第２の携帯端末において、禁止機能の登録後、所定時間毎に閉空間内か閉空間外かの選択画面を表示する手段と、ユーザから閉空間外が選択された場合に禁止機能の登録を消去する手段とを、さらに有する。
【００１６】
本発明の第１の無線ＩＣタグを用いた携帯端末の機能制限方法は、無線ＩＣタグを備えた携帯端末と、閉空間内の各単位閉空間に設置されたタグリーダライタと、閉空間内端末とを備えたシステムにおける無線ＩＣタグを用いた携帯端末の機能制限方法であって、
前記閉空間内端末からの指示を受けた前記タグリーダライタが単位閉空間内の前記無線ＩＣタグから端末識別情報を読み取り、タグリーダライタ識別情報を付して前記閉空間内端末に送信するステップと、前記閉空間内端末が受信したタグリーダライタ識別情報，端末識別情報を基に単位閉空間毎の端末数をカウントするステップと、カウントされた端末数と予め登録された単位閉空間面積情報とを基に前記閉空間内端末が単位閉空間毎の端末密度を算出し、各単位閉空間の前記タグリーダライタに該当単位閉空間の端末密度情報を送信するステップと、前記タグリーダライタが受信した端末密度情報を単位閉空間内の前記無線ＩＣタグに書き込むステップと、前記携帯端末が端末密度情報受信時に、端末密度情報に対応した機能制限情報が予め格納された第１のデータベースから対応する禁止機能を抽出して第２のデータベースに登録するステップと、ユーザから起動された機能が前記第２のデータベースに登録された禁止機能であった場合に利用を禁止するステップとを有する。
【００１７】
本発明の第２の無線ＩＣタグを用いた携帯端末の機能制限方法は、無線ＩＣタグを備えた携帯端末と、閉空間内の各単位閉空間に設置されたタグリーダライタと、閉空間内端末とを備えたシステムにおける無線ＩＣタグを用いた携帯端末の機能制限方法であって、
前記閉空間内端末からの指示を受けた前記タグリーダライタが単位閉空間内の前記無線ＩＣタグから端末識別情報を読み取り、タグリーダライタ識別情報を付して前記閉空間内端末に送信するステップと、前記閉空間内端末が受信したタグリーダライタ識別情報，端末識別情報を基に単位閉空間毎の端末数をカウントするステップと、カウントされた端末数と予め登録された単位閉空間面積情報とを基に前記閉空間内端末が単位閉空間毎の端末密度を算出し、各単位閉空間の前記タグリーダライタに該当単位閉空間の端末密度情報を送信するステップと、前記タグリーダライタが受信した端末密度情報を単位閉空間内の前記無線ＩＣタグに書き込むステップと、前記携帯端末が端末密度情報受信時に、端末密度情報に対応した機能制限情報が予め格納された第１のデータベースから対応する禁止機能を抽出して第２のデータベースに登録するステップと、登録された禁止機能情報を携帯端末に表示するステップと、ユーザから起動された機能が前記第２のデータベースに登録された禁止機能であった場合に利用を禁止するステップと、前記携帯端末による禁止機能の登録後、所定時間毎に閉空間内か閉空間外かの選択画面を表示するステップと、ユーザから閉空間外が選択された場合に禁止機能の登録を消去するステップと、を有する。
【００１８】
本発明の第１のプログラムは、端末密度情報に対応した機能制限情報を第１のデータベースに登録する機能、内蔵の無線ＩＣタグを介した端末密度情報受信時に前記第１のデータベースから対応する禁止機能を抽出して第２のデータベースに登録する機能、ユーザから起動された機能が前記第２のデータベースに登録された禁止機能であった場合に利用を禁止する機能、をコンピュータに実現させる。
【００１９】
本発明の第２のプログラムは、端末密度情報に対応した機能制限情報を第１のデータベースに登録する機能、内蔵の無線ＩＣタグを介した端末密度情報受信時に前記第１のデータベースから対応する禁止機能を抽出して第２のデータベースに登録する機能、ユーザから起動された機能が前記第２のデータベースに登録された禁止機能であった場合に利用を禁止する機能、禁止機能の登録後、所定時間毎に閉空間内か閉空間外かの選択画面を表示する機能、ユーザから閉空間外が選択された場合に前記第２のデータベースに登録された禁止機能を消去する機能、をコンピュータに実現させる。
【発明の効果】
【００２０】
本発明においては、各単位閉空間にタグリーダライタを備え、単位閉空間内に存在する携帯端末内蔵の無線ＩＣタグとの通信により各単位閉空間の混雑度を求め、混雑度に応じて携帯端末の機能制御を行っている。これにより、閉空間毎ではなく、閉空間内の単位閉空間毎の混雑度に基づく携帯端末の機能制御が可能になるという効果が得られる。
【００２１】
また、携帯端末に内蔵された無線ＩＣタグを用いて混雑状況のカウントを行っているため、混雑状況を取得するための各種センサや装置を必要とせず、簡素化された構成で閉空間における携帯端末の機能制限が行えるという効果が得られる。
【発明を実施するための最良の形態】
【００２２】
本発明の実施の形態について図面を参照して詳細に説明する。
【００２３】
本発明は閉空間における携帯端末の機能制限に関するものである。ここで言う閉空間とは、列車等の移動体や公民館，病院等の施設のように周囲を囲われた空間であり、人が集まる場所を想定している。また、単位閉空間とは、閉空間内をさらに細かく仕切った空間であり、列車における各車両や施設における待合室等の各部屋を意味している。本実施の形態においては、閉空間として列車を例にとって説明する。
【００２４】
図１は、本発明の一実施の形態の構成を示すブロック図であり、携帯端末１０と、タグリーダライタ２０と、列車内端末３０と、列車ドア開閉指示装置４０と、混雑情報提供サーバ５０とを備えている。なお、タグリーダライタ２０，列車内端末３０，列車ドア開閉指示装置４０間は、列車内に備えられた有線または無線のＬＡＮ（Local Area Network）１００等により接続される。また、列車内端末３０，混雑情報提供サーバ５０間はインターネット等のネットワーク２００により接続される。
【００２５】
携帯端末１０は、列車に乗車するユーザが携帯する携帯電話機，ＰＨＳ（Personal Handyphone System），ＰＤＡ（Personal Digital Assistance）等の携帯情報端末である。
この携帯端末１０は、通信部１１と、アンテナ１２と、操作部１３と、表示部１４と、無線ＩＣタグ１５と、制御部１６と、記憶部１７とを備えている。通信部１１は図示しない基地局との間でアンテナ１２を介して無線信号の送受信を行う通信装置である。操作部１３はテンキー，スクロールキー，決定キー，機能キー等の入力装置であり、表示部１４はＬＣＤ（Liquid Crystal Display）等の表示装置である。無線ＩＣタグ１５はアンテナコイル，ＩＣチップ等で構成されるＲＦＩＤ（Radio Frequency Identification）タグであり、予め携帯端末１０の端末識別情報（以下、端末ＩＤと記す）が書き込まれている。なお、端末ＩＤとは、例えば、携帯端末１０の電話番号等であるが、この他にも携帯端末１０を識別できる情報であれば特に限定されない。この無線ＩＣタグ１５は、所定空間（距離）内にあるタグリーダライタ２０が発信する電波を受信することにより電力の供給を受け、当該タグリーダライタ２０との間で通信や情報の記録を行う。
【００２６】
制御部１６は、ＣＰＵ（Central Processing Unit）等の制御装置であり、プログラムにより動作を制御される。この制御部１６は、
・無線ＩＣタグ１５を介して受信した端末密度に対応する機能制限情報を記憶部１７から抽出する機能、
・抽出した機能制限情報を基に禁止機能を記憶部１７に登録するとともに、表示部１４に表示する機能、
・禁止機能として登録された機能が起動されたときに利用を禁止する機能、
・禁止機能の登録後、所定時間毎に車両内か車両外かの選択画面を表示部１４に表示する機能、
・車両外が選択された場合、禁止機能の登録を消去する機能、
・混雑情報提供サーバ５０にアクセスし列車の混雑情報を取得する機能、
を備えている。
【００２７】
記憶部１７は読み出し，書き込み可能な記憶装置であり、端末密度別機能制限格納領域１７１と、禁止機能登録領域１７２とを含んでいる。端末密度別機能制限格納領域１７１には、図２（端末密度別機能制限格納領域１７１に格納されるデータの一例を示す図）に示すように、端末密度別に各機能の許可／禁止情報が予め登録されている。ここで、端末密度とは、例えば、３．３平方メートル当たりの携帯端末の台数を意味しているが、１平方メートル当たりの台数等であってもよい。禁止機能登録領域１７２には、利用を禁止する機能が制御部１６により登録される。
【００２８】
タグリーダライタ２０は、列車の各車両内に設置され、車両内に存在する携帯端末１０の無線ＩＣタグ１５との間で無線による情報の送受信を行う。このタグリーダライタ２０は、
・列車内端末３０からの指示により所定空間（距離）内にある携帯端末１０の無線ＩＣタグ１５から端末ＩＤを取得する機能、
・取得した端末ＩＤにタグリーダライタ識別情報（以下、タグリーダライタＩＤと記す）を付して列車内端末３０に送信する機能、
・列車内端末３０から送信された端末密度情報を携帯端末１０の無線ＩＣタグ１５に書き込む機能、
を備えている。
【００２９】
列車内端末３０は、列車に備えられるパーソナルコンピュータ等の情報処理装置であり、制御部３１と、記憶部３２とを備えている。この制御部３１は、ＣＰＵ（Central Processing Unit）等の制御装置であり、プログラムにより動作を制御される。この制御部３
１は、
・列車ドア開閉指示装置４０によりドアが閉められる度に、各車両のタグリーダライタ２０にタグの読み取りを指示する機能、
・タグリーダライタ２０から受信した端末ＩＤ，タグリーダライタＩＤを基に、車両別の端末数をカウント，記憶する機能、
・車両別の端末数と記憶部３２に記憶された車両別面積情報とを基に、車両別の端末密度を算出，記憶する機能、
・各車両のタグリーダライタ２０に該当車両の端末密度を送信する機能、
・車両別端末密度に列車ＩＤを付して混雑情報提供サーバ５０に送信する機能、
を備えている。
【００３０】
記憶部３２は読み出し，書き込み可能な記憶装置であり、タグリーダライタデータベース３２１と、車両別面積データベース３２２と、車両別端末数／端末密度データベース３２３とを含んでいる。タグリーダライタデータベース３２１には、図３（タグリーダライタデータベース３２１に格納されるデータの一例を示す図）に示すように、タグリーダライタＩＤと、設置されている車両番号と、ＬＡＮ１００上の通信アドレスとが予め格納されている。タグリーダライタＩＤはタグリーダライタ２０の識別情報であり、各列車において他のタグリーダライタ２０と区別するためのユニークな番号等が予め登録されている。車両別面積データベース３２２には、図４（車両別面積データベース３２２に格納されるデータの一例を示す図）に示すように、車両別の面積が予め登録されている。車両別端末数／端末密度データベース３２３には、図５（車両別端末数／端末密度データベース３２３に格納されるデータの一例を示す図）に示すように、車両番号と、受信した端末ＩＤと、端末数と、端末密度と、日時が対応付けられて登録される。
【００３１】
列車ドア開閉指示装置４０は、列車の運転席等に設置され列車ドアの開閉操作を行う装置であり、運転手による開閉操作が行われると各車両のドア開閉装置を制御してドアの開閉を行う機能を備えている。また、この列車ドア開閉指示装置４０は、ドアを閉める操作が行われたことを検出し、その旨を列車内端末３０に送信する機能を備えている。
【００３２】
混雑情報提供サーバ５０は、ネットワーク２００に接続されたワークステーション・サーバ等の情報処理装置である。この混雑情報提供サーバ５０は、列車内端末３０から送信された列車，車両別の端末密度を登録する機能と、携帯端末１０からの要求に応じて列車，車両別の端末密度を抽出，送信する機能とを備えている。
【００３３】
次に、本発明の一実施の形態の動作について図１〜図６を参照して説明する。図６は、本発明の一実施の形態の動作を示すフローチャートである。
【００３４】
図６を参照すると、列車が駅に到着する度に、運転手は列車ドア開閉指示装置４０を操作して列車ドアの開閉を行う。駅を発車するにあたり運転手がドアを閉める操作を行うと、列車ドア開閉指示装置４０はドアを閉める操作を検出し、各ドアの開閉装置に閉めるよう指示を行うとともに、列車内端末３０に対してドアを閉める操作が行われた旨を送信する。列車内端末３０は、列車ドア開閉指示装置４０からドアを閉める操作が行われた旨を受信する度に、タグ読み取り要求を列車内の全てのタグリーダライタ２０に送信する（ステップＡ１）。
【００３５】
タグ読み取り要求を受信したタグリーダライタ２０は、車両内に存在する携帯端末１０の無線ＩＣタグ１５から端末ＩＤを読み取る。なお、タグリーダライタ２０の通信距離や指向性等の仕様により１台のタグリーダライタ２０で車両内全域をカバーできない場合は、複数のタグリーダライタ２０を同一車両内に設置するものとする（ステップＡ２）。端末ＩＤを読み取ったタグリーダライタ２０は、読み取った端末ＩＤと、内部に予め格納されているタグリーダライタＩＤとを列車内端末３０に送信する（ステップＡ３）。
【００３６】
列車内端末３０の制御部３１は、タグリーダライタデータベース３２１を参照して、受信したタグリーダライタＩＤから設置されている車両番号を取得する（図３参照）。そして、制御部３１は、受信した端末ＩＤを取得した車両番号に対応して車両別端末数／端末密度データベース３２３に登録する。同一車両に複数のタグリーダライタ２０が設置されている場合は、複数のタグリーダライタ２０が読み取った端末ＩＤを全て該当車両番号に対応して登録する（ステップＡ４）。次に、列車内端末３０の制御部３１は、車両番号毎に登録された端末ＩＤの数をカウントすることで車両毎の端末数をカウントする。このとき、タグリーダライタ２０の通信範囲の重複等により同一車両の複数のタグリーダライタ２０が読み取った端末ＩＤに同じものが複数あった場合は一つとしてカウントする。制御部３１は、カウントした端末数を車両番号毎に車両別端末数／端末密度データベース３２３に登録する（ステップＡ５）。次に、制御部３１は、車両毎に端末密度を算出する。この算出にあたっては、まず、制御部３１は車両別面積データベース３２２を参照し車両毎の面積（平方メートル）を取得する（図４参照）。そして、車両別端末数／端末密度データベース３２３に登録された車両毎の端末数を該当車両の面積で割り算し３．３倍することで、端末密度（３．３平方メートル当たりの端末数）が得られる。制御部３１は、算出した端末密度を車両番号毎に車両別端末数／端末密度データベース３２３に登録する。このとき、現在日時も併せて登録する（図５参照）（ステップＡ６）。
【００３７】
次に、制御部３１は、車両別端末数／端末密度データベース３２３に登録した車両毎の端末密度を該当車両のタグリーダライタ２０にそれぞれ送信する。これにより、各車両に設置されたタグリーダライタ２０は自車両の端末密度を受信することになる（ステップＡ７）。タグリーダライタ２０は、受信した端末密度を同一車両内に存在する携帯端末１０の無線ＩＣタグ１５に送信し書き込む。この端末密度は、タグリーダライタ２０から送信される度に無線ＩＣタグ１５に上書き更新される（ステップＡ８，Ａ９）。
【００３８】
タグリーダライタ２０により無線ＩＣタグ１５に端末密度が書き込まれると、携帯端末１０の制御部１６は記憶部１７の端末密度別機能制限格納領域１７１を参照し、書き込まれた端末密度に対応した禁止機能を抽出する（図２参照）。そして、制御部１６は抽出した禁止機能を禁止機能登録領域１７２に登録する。この禁止機能は、制御部１６により禁止機能が登録される度に禁止機能登録領域１７２に上書き更新される（ステップＡ１０）。次に、制御部１６は禁止機能を表示部１４に表示することにより、携帯端末１０のユーザに対して機能が利用できない旨を報知する（ステップＡ１１）。制御部１６は以降の機能の起動を監視し、禁止機能登録領域１７２に登録された禁止機能の起動を禁止する（ステップＡ１２）。
【００３９】
禁止機能の登録や表示が終了すると、制御部１６は図示しないタイマに所定時間（例えば、３０分間）の計時を開始させる（ステップＡ１３）。所定時間が経過したことをタイマから通知されることにより、制御部１６は車両内か車両外かを選択させる画面を表示部１４に表示する。この画面情報は予め記憶部１７に格納しておくものとする（ステップＡ１４→ステップＡ１５）。携帯端末１０のユーザは、車両内／車両外選択画面が表示されたときに車両内にいた場合は「車両内」を、車両外であった場合は「車両外」を、操作部１３によりそれぞれ選択する。「車両内」が選択された場合はステップＡ１３に戻り、制御部１６は図示しないタイマに所定時間（例えば、３０分間）の計時を再度開始させる。「車両外」が選択された場合は、制御部１６は禁止機能登録領域１７２に登録されている禁止機能情報を消去する。このように、禁止機能の登録から所定時間経過する毎に、ユーザがまだ車両内に乗車中であるか、降車して車両外にいるかを確認し、車両外にいたときは禁止機能を消去して利用可能にすることができる（ステップＡ１６→ステップＡ１７）。
【００４０】
一方、ステップＡ７に続き、列車内端末３０の制御部３１は、車両別端末数／端末密度データベース３２３に登録した車両毎の端末密度と、内部に予め格納されている列車識別情報（列車ＩＤ）とを混雑情報提供サーバ５０に送信する（ステップＡ１８）。混雑情報提供サーバ５０は、受信した列車，車両別端末密度情報を内部データベースに登録する（ステップＡ１９）。列車の混雑状況を知りたいユーザは、携帯端末１０から混雑情報提供サーバ５０にアクセスして希望する列車の混雑状況情報を要求する。この要求については、自宅等にいて乗車していないユーザが行ってもよいし、ステップＡ１１において乗車中に禁止機能を表示されたユーザが、禁止機能が利用できる空いた車両を探すために行ってもよい（ステップＡ２０）。混雑情報提供サーバ５０は、内部データベースから要求された列車の車両別端末密度情報を抽出して携帯端末１０に送信し（ステップＡ２１）、携帯端末１０は、受信した端末密度情報を表示部１４に表示する（ステップＡ２２）。
【００４１】
以上説明したように、本実施の形態においては、各車両にタグリーダライタ２０を備え、車両内に存在する携帯端末１０内蔵の無線ＩＣタグ１５との通信により各車両の混雑度を求め、混雑度に応じて携帯端末１０の機能制御を行っている。これにより、列車毎ではなく、列車の車両毎の混雑度に基づく携帯端末１０の機能制御が可能になるという効果が得られる。
【００４２】
また、携帯端末１０に内蔵された無線ＩＣタグ１５を用いて混雑状況のカウントや機能制御を行っているため、簡素化された構成で閉空間における携帯端末１０の機能制限が行えるという効果が得られる。
【００４３】
また、携帯端末１０の無線ＩＣタグ１５からの端末ＩＤの読み取りは、列車が駅で停車し人の乗降が終了してドアを閉めた時点で行っているため、乗降中等と比べ精度の良い端末数のカウントが行えるという効果が得られる。
【００４４】
また、禁止機能を抽出して禁止機能登録領域１７２に登録したときに、禁止機能情報を表示部１４に表示しているため、ユーザにとってはどの機能が禁止されているのかが把握できるという効果が得られる。
【００４５】
また、禁止機能の登録後、所定時間毎に車両内か車両外かの選択画面を表示部１４に表示し、ユーザから車両外が選択された場合に禁止機能の登録を消去するようにしたため、車両内で登録された禁止機能を車両外で消去でき利用可能になるという効果が得られる。
【００４６】
次に、本発明の応用例，変形例等について説明する。
【００４７】
・上述した一実施の形態においては、列車の車両を例に説明したが、本発明は列車の車両に限定されず、公民館，病院，公共施設の待合室や部屋等の他の閉空間，単位閉空間にも適用できることは明らかである。これらの場合においては、各車両に設置されたタグリーダライタ２０は施設内の待合室や各部屋に、また、列車に設置された列車内端末３０は施設に設置され、列車ドア開閉指示装置４０の代わりに施設または各部屋のドアに開閉検出センサが設置される。
【００４８】
・上述した一実施の形態においては、携帯端末１０の無線ＩＣタグ１５からの端末ＩＤの読み取りは列車ドアが閉まる度に行うとして説明したが、ドアの開閉に関係なく所定時間毎（例えば、１０分毎）に行うようにしてもよい。この場合は、列車ドア開閉指示装置４０から列車内端末３０への情報送信が不要となり、代わりに、列車内端末３０が所定時間の経過を監視し、所定時間経過の度にタグリーダライタ２０に対してタグ読み取り要求を行うことになる。これにより、列車ドア開閉指示装置４０が本発明の構成において不要となるため、構成の簡素化が図れるという効果がある。
【図面の簡単な説明】
【００４９】
【図１】本発明の一実施の形態の構成を示すブロック図である。
【図２】端末密度別機能制限格納領域１７１に格納されるデータの一例を示す図である。
【図３】タグリーダライタデータベース３２１に格納されるデータの一例を示す図である。
【図４】車両別面積データベース３２２に格納されるデータの一例を示す図である。
【図５】車両別端末数／端末密度データベース３２３に格納されるデータの一例を示す図である。
【図６】本発明の一実施の形態の動作を示すフローチャートである。
【符号の説明】
【００５０】
１０    携帯端末
１１    通信部
１２    アンテナ
１３    操作部
１４    表示部
１５    無線ＩＣタグ
１６    制御部
１７    記憶部
１７１    端末密度別機能制限格納領域
１７２    禁止機能登録領域
２０    タグリーダライタ
３０    列車内端末
３１    制御部
３２    記憶部
３２１    タグリーダライタデータベース
３２２    車両別面積データベース
３２３    車両別端末数／端末密度データベース
４０    列車ドア開閉指示装置
５０    混雑情報提供サーバ
１００    ＬＡＮ
２００    ネットワーク
【図１】
2007235822.tif 000003
【図２】
2007235822.tif 000004
【図３】
2007235822.tif 000005
【図４】
2007235822.tif 000006
【図５】
2007235822.tif 000007
【図６】
2007235822.tif 000008